(57)【要約】【課題】防犯サービスのサービス圏外にいる利用者の安全を補完する防犯サービスシステムを実現するためのカメラ管理サーバ。【解決手段】位置情報を送信する位置通知機能と周囲の状況を記録し送信する状況記録機能とを有する携帯端末２、および監視カメラ３に、ネットワーク４を介して接続可能なカメラ管理サーバであって、監視カメラ３の設置位置と撮影エリアを示す情報を含むカメラ情報とを格納するカメラ情報格納部５と、携帯端末２から送信される位置情報およびカメラ情報格納部５に格納されているカメラ情報に基づいて、携帯端末２と監視カメラ３の撮影エリアとの位置関係を判断する圏外判断部６と、圏外判断部６が、携帯端末２が監視カメラ３の撮影エリア内に存在しないと判断した場合に、状況記録機能を起動させる起動信号を携帯端末２に送信するデータ送信部７とを備える。【選択図】図８
2011182172.tif 000002
【特許請求の範囲】
【請求項１】
位置情報を送信する位置通知機能と周囲の状況を記録し送信する状況記録機能とを有する携帯端末、および監視カメラに、ネットワークを介して接続可能なカメラ管理サーバであって、
前記監視カメラの設置位置と撮影エリアを示す情報を含むカメラ情報とを格納するカメラ情報格納部と、
前記携帯端末から送信される位置情報および前記カメラ情報格納部に格納されているカメラ情報に基づいて、前記携帯端末と監視カメラの撮影エリアとの位置関係を判断する圏外判断部と、
前記圏外判断部が、前記携帯端末が監視カメラの撮影エリア内に存在しないと判断した場合に、前記状況記録機能を起動させる起動信号を前記携帯端末に送信するデータ送信部と
を備えたことを特徴とするカメラ管理サーバ。
【請求項２】
圏外判断部は、携帯端末と監視カメラの撮影エリアとの位置関係を判断した判断結果を示すサービス状況通知を生成し、
データ送信部は、前記圏外判断部によって生成されたサービス状況通知を前記携帯端末に送信する
請求項１記載のカメラ管理サーバ。
【請求項３】
データ送信部は、圏外判断部が、携帯端末が前記携帯端末に最も近い場所に設置されている第１の監視カメラの撮影エリア内に存在せず、かつ、前記第１の監視カメラの次に前記携帯端末に近い場所に設置されている第２の監視カメラの撮影エリアが前記携帯端末の位置から所定範囲以内に存在しないと判断した場合に、起動信号を前記携帯端末に送信する
請求項１または請求項２記載のカメラ管理サーバ。
【請求項４】
位置情報を送信する位置通知機能、位置情報と監視カメラの撮影エリアを示す撮影エリア情報とに基づいて監視カメラの撮影エリアとの位置関係を判断する判断機能、および前記判断機能による判断結果に応じて周囲の状況を記録し送信する状況記録機能とを有する携帯端末、および監視カメラにネットワークを介して接続可能なカメラ管理サーバであって、
前記監視カメラの設置位置および撮影エリアを示す情報を含むカメラ情報を格納するカメラ情報格納部と、
前記携帯端末から送信される位置情報と前記カメラ情報格納部に格納されているカメラ情報とに基づいて、前記携帯端末の位置から所定範囲以内に設置されている監視カメラを選択し、選択した監視カメラの撮影エリア情報をカメラ情報から抽出するエリア情報抽出部と、
前記エリア情報抽出部によって抽出された撮影エリア情報を前記携帯端末に送信するデータ送信部と
を備えたことを特徴とするカメラ管理サーバ。
【請求項５】
位置情報を送信する位置通知機能と周囲の状況を記録し送信する状況記録機能とを有する携帯端末、および監視カメラにネットワークを介して接続可能なカメラ管理サーバにおける防犯サービス管理方法であって、
前記携帯端末から位置情報を受信し、
前記受信した位置情報とカメラ情報格納部に格納されているカメラ情報とに基づいて、前記携帯端末と監視カメラの撮影エリアとの位置関係を判断し、
前記携帯端末が監視カメラの撮影エリア内に存在しないと判断した場合に、前記状況記録機能を起動させる起動信号を前記携帯端末に送信する
ことを特徴とする防犯サービス管理方法。
【請求項６】
携帯端末と監視カメラの撮影エリアとの位置関係を判断した判断結果を示すサービス状況通知を生成し、
前記生成されたサービス状況通知を前記携帯端末に送信する
請求項５記載の防犯サービス管理方法。
【請求項７】
位置情報を送信する位置通知機能と周囲の状況を記録し送信する状況記録機能とを有する携帯端末、および監視カメラにネットワークを介して接続可能なカメラ管理サーバに、
前記携帯端末から受信した位置情報とカメラ情報格納部に格納されているカメラ情報とに基づいて、前記携帯端末と監視カメラの撮影エリアとの位置関係を判断する処理と、
前記携帯端末が監視カメラの撮影エリア内に存在しないと判断した場合に、前記状況記録機能を起動させる起動信号を前記携帯端末に送信する処理とを実行させるための
防犯サービス管理プログラム。
【請求項８】
カメラ管理サーバに、
携帯端末と監視カメラの撮影エリアとの位置関係を判断した判断結果を示すサービス状況通知を生成する処理と、
前記生成したサービス状況通知を前記携帯端末に送信する処理とを実行させるための
請求項７記載の防犯サービス管理プログラム。
【発明の詳細な説明】
【技術分野】
【０００１】
本発明は、防犯サービスを実現するためのカメラ管理サーバ、防犯サービス管理方法および防犯サービス管理プログラムに関する。
【背景技術】
【０００２】
近年、都市部を中心に犯罪防止を目的とした監視カメラの設置が進んでいる。監視カメラは、犯罪発生の防止や、病気の発症等の察知に役立つので、今後も設置が進むと考えられる。そして、監視カメラを利用した防犯サービスや介護サービス等の提供も想定される。
【０００３】
特許文献１には、被保護者が安全な範囲から出たことを保護者に通知する移動体管理システムが記載されている。特許文献１に記載された移動体管理システムでは、被保護者に取り付けられたＩＣカードから出力される微弱電波をセンサで検出し、検出した微弱電波の強さに基づいて、被保護者が安全な範囲から外に移動したか否かを判断する。また、移動体管理システムは、安全な範囲から外に移動する被保護者の外観を監視カメラで撮影して保護者に送信することもできる。
【０００４】
また、特許文献２には、非常事態が発生した場合に、非常事態の発生現場付近を撮影する監視カメラシステムが記載されている。特許文献２に記載された監視カメラシステムでは、非常事態が発生した場合に携帯通信装置から非常時信号が発信されると、非常事態の発生現場に最も近い場所に設置された監視カメラを検索し、作動させる。
【先行技術文献】
【特許文献】
【０００５】
【特許文献１】特開２００３−８７４１５号公報（段落０００７，００６６−００６７）
【特許文献２】特開２００７−３２９７５７号公報（段落００１３，００３１−００３５）
【発明の概要】
【発明が解決しようとする課題】
【０００６】
しかし、特許文献１に記載された移動体管理システムでは、安全な範囲から外に移動する直前の被保護者の外観を監視カメラで撮影して保護者に送信することはできるが、監視カメラの撮影エリアを離れた被保護者の状況を知ることはできない。
【０００７】
また、防犯サービスは、いつ発生するか分からない非常事態に備える必要があるが、特許文献２に記載された監視カメラシステムでは、非常時信号が発信されない場合にはシステムが作動しないので、非常事態が発生したときの様子を記録することができない。
【０００８】
さらに、監視カメラを利用した防犯サービスでは、例えば、都市部の全てのエリアに監視カメラを設置することは難しく、監視カメラで撮影可能な範囲が限られるために、防犯サービスを提供可能なサービス圏が限定され、その防犯効果も限定的になってしまう。そのため、防犯サービスの利用者がサービス圏外にいる場合にも利用者の安全を考慮する防犯サービスの実現が期待される。
【０００９】
そこで、本発明は、防犯サービスのサービス圏外にいる利用者の安全を補完する防犯サービスシステムを実現するためのカメラ管理サーバ、防犯サービス管理方法および防犯サービス管理プログラムを提供することを目的とする。
【課題を解決するための手段】
【００１０】
本発明によるカメラ管理サーバは、位置情報を送信する位置通知機能と周囲の状況を記録し送信する状況記録機能とを有する携帯端末、および監視カメラに、ネットワークを介して接続可能なカメラ管理サーバであって、監視カメラの設置位置と撮影エリアを示す情報を含むカメラ情報とを格納するカメラ情報格納部と、携帯端末から送信される位置情報およびカメラ情報格納部に格納されているカメラ情報に基づいて、携帯端末と監視カメラの撮影エリアとの位置関係を判断する圏外判断部と、圏外判断部が、携帯端末が監視カメラの撮影エリア内に存在しないと判断した場合に、状況記録機能を起動させる起動信号を携帯端末に送信するデータ送信部とを備えたことを特徴とする。
【００１１】
本発明による防犯サービス管理方法は、位置情報を送信する位置通知機能と周囲の状況を記録し送信する状況記録機能とを有する携帯端末、および監視カメラにネットワークを介して接続可能なカメラ管理サーバにおける防犯サービス管理方法であって、携帯端末から位置情報を受信し、受信した位置情報とカメラ情報格納部に格納されているカメラ情報とに基づいて、携帯端末と監視カメラの撮影エリアとの位置関係を判断し、携帯端末が監視カメラの撮影エリア内に存在しないと判断した場合に、状況記録機能を起動させる起動信号を携帯端末に送信することを特徴とする。
【００１２】
本発明による防犯サービス管理プログラムは、位置情報を送信する位置通知機能と周囲の状況を記録し送信する状況記録機能とを有する携帯端末、および監視カメラにネットワークを介して接続可能なカメラ管理サーバに、携帯端末から受信した位置情報とカメラ情報格納部に格納されているカメラ情報とに基づいて、携帯端末と監視カメラの撮影エリアとの位置関係を判断する処理と、携帯端末が監視カメラの撮影エリア内に存在しないと判断した場合に、状況記録機能を起動させる起動信号を携帯端末に送信する処理とを実行させることを特徴とする。
【発明の効果】
【００１３】
本発明によれば、防犯サービスの利用者がサービス圏外にいる場合に、利用者の周囲の状況を記録し、監視者に送信する防犯サービスシステムを実現することで、防犯サービスのサービス圏外にいる利用者の安全を補完することができる。
【図面の簡単な説明】
【００１４】
【図１】本発明による第１の実施形態のカメラ管理サーバを含む防犯サービスシステムの構成例を示すブロック図である。
【図２】カメラ情報のテーブル例を示す説明図である。
【図３】利用者情報のテーブル例を示す説明図である。
【図４】行動履歴情報のテーブル例を示す説明図である。
【図５】図１に示す防犯サービスシステムが、防犯サービスを提供する動作を示すフローチャートである。
【図６】本発明による第２の実施形態のカメラ管理サーバを含む防犯サービスシステムの構成例を示すブロック図である。
【図７】図６に示す防犯サービスシステムが、防犯サービスを提供する動作を示すフローチャートである。
【図８】本発明によるカメラ管理サーバの主要部を示すブロック図である。
【発明を実施するための形態】
【００１５】
実施形態１．
図１は、本発明による第１の実施形態（実施形態１）のカメラ管理サーバを含む防犯サービスシステムの構成例を示すブロック図である。図１を参照して、本発明による第１の実施形態のカメラ管理サーバ１０の構成等を説明する。
【００１６】
カメラ管理サーバ１０および監視カメラ２０（２０ａ，２０ｂ）は、防犯サービスを提供する防犯サービス事業者によって管理される。防犯サービス事業者は、携帯端末３０を携帯する利用者および情報端末４０を所有する監視者に、防犯サービスを提供する。カメラ管理サーバ１０、監視カメラ２０、携帯端末３０および情報端末４０は、インターネット等のネットワーク１００を介して相互に接続される。カメラ管理サーバ１０、監視カメラ２０、携帯端末３０および情報端末４０の動作は、例えば、プログラムにしたがって動作するＣＰＵによって制御される。
【００１７】
カメラ管理サーバ１０は、データ送受信部１１、圏外判断部１２、カメラ情報ＤＢ１３、利用者情報ＤＢ１４および行動履歴ＤＢ１５を備える。
【００１８】
データ送受信部１１は、ネットワーク１００を介して、監視カメラ２０、携帯端末３０および情報端末４０との間でデータの送受信を行う。
【００１９】
例えば、データ送受信部１１は、画像データ（映像データを含む）および音声データを監視カメラ２０から受信する。また、データ送受信部１１は、携帯端末３０の位置を示す位置情報を携帯端末３０から受信して圏外判断部１２に送信する。また、例えば、データ送受信部１１は、圏外判断部１２から受信したサービス状況通知を携帯端末３０や情報端末４０に送信する。サービス状況通知とは、携帯端末３０が、監視カメラ２０によって撮影可能な範囲内（カメラ２０の撮影エリア内）に存在するか否か、すなわち、利用者が防犯サービスのサービス圏内にいるか否かを示す通知である。
【００２０】
圏外判断部１２は、携帯端末３０と監視カメラ２０の撮影エリアとの位置関係を判断する。
【００２１】
具体的には、圏外判断部１２は、携帯端末３０から受信する携帯端末３０の位置情報と、カメラ情報ＤＢ１３に格納されているカメラ情報とに基づいて、携帯端末３０に最も近い場所に設置されている監視カメラ２０（例えば、監視カメラ２０ａ）を選択し、監視カメラ２０ａの撮影エリアを示す撮影エリア情報を抽出する。圏外判断部１２は、携帯端末３０の位置情報と、監視カメラ２０ａの撮影エリア情報とを比較して、携帯端末３０が監視カメラ２０ａの撮影エリア内に存在するか否かを判断する。圏外判断部１２は、判断結果に基づいたサービス状況通知を生成する。圏外判断部１２は、生成したサービス状況通知をデータ送受信部１１から携帯端末３０や情報端末４０に送信する。
【００２２】
さらに、圏外判断部１２は、携帯端末３０に近い場所に設置されている複数の監視カメラ２０の撮影エリア情報を抽出することもできる。圏外判断部１２は、撮影エリア情報を抽出した監視カメラ２０の撮影エリアと携帯端末３０との距離を判断することもできる。
【００２３】
カメラ情報ＤＢ１３は、監視カメラ２０に関する情報を示すカメラ情報を格納する。図２は、カメラ情報のテーブル例を示す説明図である。カメラ情報は、カメラＩＤ、監視カメラ２０が設置されている位置を示すカメラ位置情報（例えば、緯度および経度で示される。）、および監視カメラ２０の撮影エリア情報（例えば、緯度、経度および高さで示される。）等で構成される。
【００２４】
利用者情報ＤＢ１４は、防犯サービスの利用者および監視者に関する情報を示す利用者情報を格納する。図３は、利用者情報のテーブル例を示す説明図である。利用者情報は、防犯サービスの利用者ごとに割り当てられる利用者ＩＤ、携帯端末を識別するための携帯端末識別ＩＤ、および防犯サービスの監視者の連絡先を示す監視者連絡先（例えば、情報端末４０のメールアドレスで示される。）等で構成される。
【００２５】
行動履歴ＤＢ１５は、防犯サービスの利用者に対する監視カメラ２０の動作履歴を示す行動履歴情報を格納する。図４は、行動履歴情報のテーブル例を示す説明図である。行動履歴情報は、行動履歴の項目ごとに割り当てられる行動履歴ＩＤ、利用者ＩＤ、情報の取得時間、携帯端末３０の位置情報（例えば、緯度および経度で示される。）、および利用者を監視した監視カメラ２０を特定するカメラＩＤ等で構成される。行動履歴情報には、サービス状況通知で示されるサービス状況が含まれてもよい。
【００２６】
カメラ情報、利用者情報および行動履歴情報は、データ送受信部１１が受信するデータおよび圏外判断部１２が処理するデータ等に基づいて生成される。例えば、圏外判断部１２が、カメラ情報、利用者情報および行動履歴情報を生成し、それぞれの情報をカメラ情報ＤＢ１３、利用者情報ＤＢ１４または行動履歴ＤＢ１５に格納する。
【００２７】
監視カメラ２０は、ネットワーク１００に接続可能なビデオカメラ装置であって、防犯サービス事業者が提供する防犯サービスの提供エリアの圏内に、１台以上設置される。監視カメラ２０は、カメラ管理サーバ１０によって動作を制御される。監視カメラ２０ａ，２０ｂは、それぞれの設置場所の周囲の様子を撮影し、画像データや音声データで記録する。監視カメラ２０ａ，２０ｂには、それぞれ異なるカメラＩＤが割り当てられる。
【００２８】
携帯端末３０は、防犯サービスの利用者が携帯可能な携帯電話機等の情報処理装置である。携帯端末３０は、位置情報取得部３１、端末送受信部３２および状況記録アプリケーション３３を含む。
【００２９】
位置情報取得部３１は、携帯端末３０が有するＧＰＳ（Global Positioning System ）受信機（図示せず）によって得られる信号に基づいて、携帯端末３０の現在位置を示す位置情報を取得する。位置情報は、例えば、緯度および経度で示される。位置情報取得部３１は、取得した位置情報を端末送受信部３２に送信する。
【００３０】
端末送受信部３２は、ネットワーク１００を介して、カメラ管理サーバ１０や情報端末４０とデータの送受信を行う。例えば、端末送受信部３２は、位置情報取得部３１によって取得された位置情報をカメラ管理サーバ１０のデータ送受信部１１に送信する。また、例えば、端末送受信部３２は、状況記録アプリケーション３３によって記録された音声データや画像データを情報端末４０に送信する。
【００３１】
また、端末送受信部３２は、受信したデータの内容に応じて、携帯端末３０内部の機能を制御する。例えば、端末送受信部３２は、カメラ管理サーバ１０からサービス状況通知を受信した場合に、受信したサービス状況通知が示す内容を画面や音声で利用者に通知したり、状況記録アプリケーション３３を起動させる起動信号を受信した場合に、状況記録アプリケーション３３を起動させたりする。
【００３２】
状況記録アプリケーション３３は、音声記録部３４、画像記録部３５および通知先情報格納部３６を含む。状況記録アプリケーション３３は、例えば、携帯端末３０に予めインストールされたアプリケーションソフトウェアで実現される。
【００３３】
音声記録部３４は、状況記録アプリケーション３３によって携帯端末３０のマイクロフォン（図示せず）で収集された音声データを格納する。画像記録部３５は、状況記録アプリケーション３３によって携帯端末３０のカメラ（図示せず）で撮影された画像データを格納する。通知先情報格納部３６は、状況記録アプリケーション３３が取得する音声データおよび画像データの送信先を示す送信先情報を格納する。送信先情報には、監視者連絡先である情報端末４０のメールアドレス等が含まれる。
【００３４】
情報端末４０は、ネットワーク１００に接続可能なパーソナルコンピュータや携帯電話機等の情報処理装置である。情報端末４０は、監視者連絡先としてメールアドレス等を有する。また、情報端末４０は、カメラ管理サーバ１０から送信されるサービス状況通知や携帯端末３０から送信される音声データおよび画像データを画面に表示する機能を有する。
【００３５】
図５は、図１に示す防犯サービスシステムが、防犯サービスを提供する動作を示すフローチャートである。図５を参照して、カメラ管理サーバ１０を含む防犯サービスシステムが、携帯端末３０を携帯する利用者および情報端末４０を所有する監視者に、防犯サービスが提供される動作を説明する。
【００３６】
まず、携帯端末３０の位置情報取得部３１が、携帯端末３０の位置情報を取得する（ステップＡ１）。なお、ステップＡ１において、位置情報取得部３１は、定期的に携帯端末３０の位置情報を取得してもよい。端末送受信部３２は、携帯端末３０の位置情報をカメラ管理サーバ１０のデータ送受信部１１に送信する。
【００３７】
カメラ管理サーバ１０の圏外判断部１２は、データ送受信部１１が受信した携帯端末３０の位置情報と、カメラ情報ＤＢ１３に格納されているカメラ情報とに基づいて、携帯端末３０に最も近い場所に設置されている監視カメラ２０（例えば、監視カメラ２０ａ）を選択し、監視カメラ２０ａの撮影エリア情報をカメラ情報から抽出する（ステップＡ２）。
【００３８】
圏外判断部１２は、携帯端末３０の位置情報と監視カメラ２０ａの撮影エリア情報とを比較し、携帯端末３０が、監視カメラ２０ａの撮影エリア内に存在するか否かを判断する（ステップＡ３）。
【００３９】
携帯端末３０が、監視カメラ２０ａの撮影エリア内に存在する場合には（ステップＡ３のＹ）、圏外判断部１２は、利用者が防犯サービスのサービス圏内にいることを示すサービス状況通知を生成し、サービス状況通知をデータ送受信部１１から携帯端末３０の端末送受信部３２に送信する。なお、圏外判断部１２は、サービス状況通知をデータ送受信部１１から情報端末４０にも送信してもよい。端末送受信部３２は、受信したサービス状況通知が示す内容を画面や音声で利用者に通知する（ステップＡ４）。圏外判断部１２は、行動履歴情報を生成して行動履歴ＤＢ１５に格納し、ステップＡ１に戻る。
【００４０】
携帯端末３０が、監視カメラ２０ａの撮影エリア内に存在しない場合には（ステップＡ３のＮ）、圏外判断部１２は、利用者が防犯サービスのサービス圏内にいない、すなわち、サービス圏外にいることを示すサービス状況通知を生成し、サービス状況通知をデータ送受信部１１から携帯端末３０の端末送受信部３２に送信する。端末送受信部３２は、受信したサービス状況通知が示す内容を画面や音声で利用者に通知する（ステップＡ５）。圏外判断部１２は、行動履歴情報を生成し、行動履歴ＤＢ１５に格納する。
【００４１】
次に、圏外判断部１２は、監視カメラ３０ａの次に携帯端末３０に近い場所に設置されている監視カメラ２０（例えば、監視カメラ２０ｂ）を選択し、監視カメラ２０ｂの撮影エリア情報をカメラ情報から抽出する（ステップＡ６）。
【００４２】
圏外判断部１２は、携帯端末３０の位置情報と監視カメラ２０ｂの撮影エリア情報とを比較し、監視カメラ２０ｂの撮影エリアが、携帯端末３０の位置から所定範囲（例えば、１ｋｍ）以内に存在するか否かを判断する（ステップＡ７）。
【００４３】
監視カメラ２０ｂの撮影エリアが、携帯端末３０の周囲の１ｋｍ以内に存在する場合には（ステップＡ７のＹ）、ステップＡ１に戻る。
【００４４】
監視カメラ２０ｂの撮影エリアが、携帯端末３０の周囲の１ｋｍ以内に存在しない場合には（ステップＡ７のＮ）、圏外判断部１２は、データ送受信部１１から端末送受信部３２に、状況記録アプリケーション３３を起動させる起動信号（ＡＰ起動信号）を送信する（ステップＡ８）。
【００４５】
起動信号を受信した端末送受信部３２は、状況記録アプリケーション３３（状況記録ＡＰ）を起動する。状況記録アプリケーション３３は、マイクロフォンによる音声の収集と、カメラによる画像の撮影を開始する（ステップＡ９）。収集された音声データは音声記録部３４に格納され、撮影された画像データは画像記録部３５に格納される。
【００４６】
状況記録アプリケーション３３は、音声記録部３４および画像記録部３５を参照し、任意の間隔で、音声データおよび画像データを端末送受信部３２から情報端末４０に送信する（ステップＡ１０）。音声データおよび画像データの送信先は、通知先情報格納部３６に格納されている送信先情報に基づいて決定される。
【００４７】
このようなカメラ管理サーバは、防犯サービスの利用者が、監視カメラ２０による監視ができないようなサービス圏外にいる場合でも、携帯端末３０で周囲の状況を音声データおよび画像データとして記録し、情報端末４０を所有する監視者に送信させるので、防犯サービスのサービス圏外にいる利用者の安全を補完することができる。そして、サービス圏外にいる利用者の安全を補完することによって、利用者の安心感の向上を促し、防犯サービスの信頼性を高めることが期待できる。
【００４８】
また、このようなカメラ管理サーバは、防犯サービスの利用者がサービス圏外にいる場合に、携帯端末３０で音声データおよび画像データとして収集した周囲の状況を情報端末４０に送信させるだけでなく、音声記録部３４および画像記録部３５に記録させるので、万が一、利用者が犯罪や事故等に巻き込まれた場合でも、事件の早期解決や事故の原因究明に貢献することができる。
【００４９】
実施形態２．
図６は、本発明による第２の実施形態（実施形態２）のカメラ管理サーバを含む防犯サービスシステムの構成例を示すブロック図である。図６を参照して、本発明による第２の実施形態のカメラ管理サーバ５０の構成を説明する。
【００５０】
図６に示す防犯サービスシステムでは、カメラ管理サーバ５０が圏外判断部を備えずにエリア情報抽出部１６を備えることと、携帯端末６０が端末判断部３７をさらに備えることが、図１に示す防犯サービスシステムの構成と異なる。
【００５１】
カメラ管理サーバ５０のエリア情報抽出部１６は、携帯端末６０の周辺に設置されている監視カメラ２０の撮影エリア情報を抽出する。エリア情報抽出部１６は、携帯端末６０の位置情報とカメラ情報ＤＢ１３に格納されているカメラ情報とに基づいて、携帯端末６０の位置から所定範囲以内に設置されている監視カメラ２０（例えば、監視カメラ２０ａ，２０ｂ）を選択し、当該監視カメラ２０ａ，２０ｂの撮影エリア情報を抽出する。
【００５２】
携帯端末６０の端末判断部３７は、携帯端末６０と監視カメラ２０の撮影エリアとの位置関係を判断する。
【００５３】
具体的には、端末判断部３７は、位置情報取得部３１が取得する携帯端末６０の位置情報と、エリア情報抽出部１６によって抽出されて端末送受信部３２がカメラ管理サーバ５０から受信する監視カメラ２０ａ，２０ｂの撮影エリア情報とに基づいて、携帯端末６０が、携帯端末６０に最も近い場所に設置されている監視カメラ２０ａの撮影エリア内に存在するか否かを判断する。端末判断部３７は、判断結果に基づいたサービス状況通知を生成する。
【００５４】
さらに、端末判断部３７は、監視カメラ２０ａの次に携帯端末６０に近い場所に設置されている監視カメラ２０ｂの撮影エリアと携帯端末６０との距離を判断することもできる。また、端末判断部３７は、行動履歴情報も生成する。
【００５５】
図７は、図６に示す防犯サービスシステムが、防犯サービスを提供する動作を示すフローチャートである。図７を参照して、カメラ管理サーバ５０を含む防犯サービスシステムが、携帯端末６０を携帯する利用者および情報端末４０を所有する監視者に、防犯サービスを提供する動作を説明する。
【００５６】
まず、携帯端末６０の位置情報取得部３１が、携帯端末６０の位置情報を取得する（ステップＢ１）。なお、ステップＢ１において、位置情報取得部３１は、定期的に携帯端末６０の位置情報を取得してもよい。端末送受信部３２は、携帯端末６０の位置情報をカメラ管理サーバ１０のデータ送受信部１１に送信する。
【００５７】
カメラ管理サーバ１０のエリア情報抽出部１６は、データ送受信部１１が受信した携帯端末６０の位置情報と、カメラ情報ＤＢ１３に格納されているカメラ情報とに基づいて、携帯端末３０の位置から所定範囲以内に設置されている監視カメラ２０ａ，２０ｂを選択し、監視カメラ２０ａ，２０ｂの撮影エリア情報をカメラ情報から抽出する。エリア情報抽出部１６は、抽出した監視カメラ２０ａ，２０ｂの撮影エリア情報をデータ送受信部１１から端末送受信部３２に送信させる（ステップＢ２）。ここで、監視カメラ２０ａのほうが、監視カメラ２０ｂよりも携帯端末３０に近い場所に設置されているとする。
【００５８】
端末判断部３７は、携帯端末６０の位置情報と、端末送受信部３２がカメラ管理サーバ１０から受信する監視カメラ２０ａの撮影エリア情報とを比較して、携帯端末６０が、監視カメラ２０ａの撮影エリア内に存在するか否かを判断する（ステップＢ３）。
【００５９】
携帯端末６０が、監視カメラ２０ａの撮影エリア内に存在する場合には（ステップＢ３のＹ）、端末判断部３７は、利用者が防犯サービスのサービス圏内にいることを示すサービス状況通知を生成する。端末送受信部３２は、生成されたサービス状況通知が示す内容を画面や音声で利用者に通知する（ステップＢ４）。なお、端末判断部３７は、サービス状況通知をデータ送受信部１１から情報端末４０に送信してもよい。端末判断部３７は、行動履歴情報を生成して端末送受信部３２からデータ送受信部１１に送信させる。データ送受信部１１は、受信した行動履歴情報を行動履歴ＤＢ１５に格納し、ステップＢ１に戻る。
【００６０】
携帯端末６０が、監視カメラ２０ａの撮影エリア内に存在しない場合には（ステップＢ３のＮ）、端末判断部３７は、利用者が防犯サービスのサービス圏内にいない、すなわち、サービス圏外にいることを示すサービス状況通知を生成する。端末送受信部３２は、生成されたサービス状況通知が示す内容を画面や音声で利用者に通知する（ステップＢ５）。端末判断部３７は、行動履歴情報を生成して端末送受信部３２からデータ送受信部１１に送信させる。データ送受信部１１は、受信した行動履歴情報を行動履歴ＤＢ１５に格納する。
【００６１】
次に、圏外判断部１２は、携帯端末６０の位置情報と、監視カメラ３０ａの次に携帯端末３０に近い場所に設置されている監視カメラ２０ｂの撮影エリア情報とを比較し、監視カメラ２０ｂの撮影エリアが、携帯端末６０の位置から所定範囲（例えば、１ｋｍ）以内に存在するか否かを判断する（ステップＢ６）。
【００６２】
監視カメラ２０ｂの撮影エリアが、携帯端末６０の周囲の１ｋｍ以内に存在する場合には（ステップＢ６のＹ）、ステップＢ１に戻る。
【００６３】
監視カメラ２０ｂの撮影エリアが、携帯端末６０の周囲の１ｋｍ以内に存在しない場合には（ステップＢ６のＮ）、端末判断部３７は、状況記録アプリケーション３３（状況記録ＡＰ）を起動する。状況記録アプリケーション３３は、マイクロフォンによる音声の収集と、カメラによる画像の撮影を開始する（ステップＢ７）。収集した音声データは音声記録部３４に格納され、撮影された画像データは画像記録部３５に格納される。
【００６４】
状況記録アプリケーション３３は、音声記録部３４および画像記録部３５を参照し、任意の間隔で、音声データおよび画像データを端末送受信部３２から情報端末４０に送信する（ステップＢ８）。音声データおよび画像データの送信先は、通知先情報格納部３６に格納されている送信先情報に基づいて決定される。
【００６５】
このようなカメラ管理サーバは、携帯端末６０の周辺に設置されている複数の監視カメラ２０ａ，２０ｂの撮影エリア情報を携帯端末６０にまとめて送信するので、撮影エリア情報を受信したあとの携帯端末６０は、携帯端末６０だけでサービス状況通知を生成することができる。すなわち、このようなカメラ管理サーバ５０は、カメラ管理サーバ５０と携帯端末６０との通信が困難な場合であっても、利用者に現在の防犯サービスのサービス状況を通知することができる。
【００６６】
図８は、本発明によるカメラ管理サーバの主要部を示すブロック図である。図８に示すように、カメラ管理サーバ１（例えば、図１に示すカメラ管理サーバ１０に相当）は、位置情報を送信する位置通知機能（例えば、図１に示す位置情報取得部３１および端末送受信部３２によって実現される。）と周囲の状況を記録し送信する状況記録機能（例えば、図１に示す状況記録アプリケーション３３および端末送受信部３２によって実現される。）とを有する携帯端末２（例えば、図１に示す携帯端末３０に相当）、および監視カメラ３（例えば、図１に示す監視カメラ２０ａ，２０ｂに相当）に、ネットワーク４（例えば、図１に示すネットワーク１００に相当）を介して接続可能なカメラ管理サーバであって、監視カメラ３の設置位置と撮影エリアを示す情報を含むカメラ情報とを格納するカメラ情報格納部５（例えば、図１に示すカメラ情報ＤＢ１３に相当）と、携帯端末２から送信される位置情報およびカメラ情報格納部５に格納されているカメラ情報に基づいて、携帯端末２と監視カメラ３の撮影エリアとの位置関係を判断する圏外判断部６（例えば、図１に示す圏外判断部１２に相当）と、圏外判断部６が、携帯端末２が監視カメラ３の撮影エリア内に存在しないと判断した場合に、状況記録機能を起動させる起動信号を携帯端末２に送信するデータ送信部７（例えば、図１に示すデータ送受信部１１に相当）とを備えるように構成されている。
【００６７】
また、上記の各実施形態では、以下の（１）〜（３）に示すようなカメラ管理サーバも開示されている。
【００６８】
（１）圏外判断部は、携帯端末と監視カメラの撮影エリアとの位置関係を判断した判断結果を示すサービス状況通知を生成し、データ送信部は、圏外判断部によって生成されたサービス状況通知を携帯端末に送信する（例えば、図５のステップＡ３〜Ａ５に示す動作によって実現される。）カメラ管理サーバ。
【００６９】
（２）データ送信部は、圏外判断部が、携帯端末が携帯端末に最も近い場所に設置されている第１の監視カメラ（例えば、実施形態１の監視カメラ２０ａに相当）の撮影エリア内に存在せず、かつ、第１の監視カメラの次に携帯端末に近い場所に設置されている第２の監視カメラ（例えば、実施形態１の監視カメラ２０ｂに相当）の撮影エリアが携帯端末の位置から所定範囲以内に存在しないと判断した場合に、起動信号を携帯端末に送信する（例えば、図５のステップＡ７〜Ａ８に示す動作によって実現される。）カメラ管理サーバ。
【００７０】
（３）位置情報を送信する位置通知機能、位置情報と監視カメラの撮影エリアを示す撮影エリア情報とに基づいて監視カメラの撮影エリアとの位置関係を判断する判断機能（例えば、図６に示す端末判断部３７に相当）、および判断機能による判断結果に応じて周囲の状況を記録し送信する状況記録機能（例えば、図６に示す状況記録アプリケーション３３に相当）とを有する携帯端末、および監視カメラにネットワークを介して接続可能なカメラ管理サーバであって、監視カメラの設置位置および撮影エリアを示す情報を含むカメラ情報を格納するカメラ情報格納部と、携帯端末から送信される位置情報とカメラ情報格納部に格納されているカメラ情報とに基づいて、携帯端末の位置から所定範囲以内に設置されている監視カメラを選択し、選択した監視カメラの撮影エリア情報をカメラ情報から抽出するエリア情報抽出部（例えば、図６に示すエリア情報抽出部１６に相当）と、エリア情報抽出部によって抽出された撮影エリア情報を携帯端末に送信するデータ送信部とを備えたことを特徴とするカメラ管理サーバ（例えば、実施形態２のカメラ管理サーバ５０によって実現される。）。
【符号の説明】
【００７１】
１    カメラ管理サーバ
２    携帯端末
３    監視カメラ
４    ネットワーク
５    カメラ情報格納部
６    圏外判断部
７    データ送信部
１０，５０  カメラ管理サーバ
１１  データ送受信部
１２  圏外判断部
１３  カメラ情報ＤＢ
１４  利用者情報ＤＢ
１５  行動履歴ＤＢ
１６  エリア情報抽出部
２０ａ，２０ｂ  監視カメラ
３０，６０  携帯端末
３１  位置情報取得部
３２  端末送受信部
３３  状況記録アプリケーション
３４  音声記録部
３５  画像記録部
３６  通知先情報記憶部
３７  端末判断部
４０  情報端末
１００  ネットワーク
【図１】
2011182172.tif 000003
【図２】
2011182172.tif 000004
【図３】
2011182172.tif 000005
【図４】
2011182172.tif 000006
【図５】
2011182172.tif 000007
【図６】
2011182172.tif 000008
【図７】
2011182172.tif 000009
【図８】
2011182172.tif 000010